(57)【特許請求の範囲】
【請求項１】
パネル及びまたはポケット付きパネルを綴じ込み式に保持し、前記パネルの上下縁部に設けられた受部を上下端部に列状に設けたピンで見開き可能に保持した壁掛け用ホルダーにおいて、前記ホルダーは、ローラー型の挿入部品を取り付けるのに適した把持部２２を有する本体１からなり、前記挿入部品２０,２１は、前記ピン２の長手方向軸に対して横方向に延びる軸を中心に回転し、支持カラム２７を保持するための横手方向に延びる孔２６が設けられていることを特徴とするホルダー。
【請求項２】
前記把持部２２は、ホルダーの前面に開口した受け口１９の対向側部に設けられていることを特徴とする請求項１記載のホルダー。
【請求項３】
前記ホルダー本体１が背面壁３を有し、該背面壁３には支持カラム２７用の挿入開口部が設けられており、前記支持カラム２７が前記挿入部品２０，２１の幅方向に延びる孔２６内に差し込まれることを特徴とする請求項２記載のホルダー。
【請求項４】
前記挿入開口部が前記支持カラム２７を保持するために前記背面壁３に設けられた案内チャネル１６と連通していることを特徴とする請求項３記載のホルダー。
【請求項５】
前記ホルダー本体１は、その周囲を形成する端部壁５，７及び側壁６，８と、前記ローラー型の挿入部品２０，２１を保持するための受け口１９を有する壁部１０，１１からなる中央トラフ９とから構成される、中央が窪んだ構造を有していることを特徴とする請求項１乃至４いずれか１項記載のホルダー。
【請求項６】
前記ホルダー本体が射出成形によって形成され、前記トラフ９の領域に補強を目的としたホルダーの長手方向及び幅方向に延びた補強壁１２，１３が取り付けられていることを特徴とする請求項５記載のホルダー。
【請求項７】
支持カラム２７用の挿入開口部を有し、前記ホルダー本体１を形成する背面壁３に設けられた案内チャネル１６が、支持カラム２７を案内し、保持するために前記幅方向に延びる補強壁１３に設けられた開口部１４と位置合わせされていることを特徴とする請求項６記載のホルダー。
【請求項８】
前記背面壁３にホルダーを壁に取り付けるためのネジが挿入される孔１７，１８が設けられていることを特徴とする請求項１乃至７いずれか１項記載のホルダー。
【請求項９】
前記孔１７，１８はその長手方向軸が互いに直交する細長形状であることを特徴とする請求項８記載のホルダー。
【請求項１０】
前記背面壁３が、互いに鈍角を形成して互いに奏合する２つの壁部１０，１１を有していることを特徴とする請求項１乃至９いずれか１項記載のホルダー。
【請求項１１】
前記２つの壁部１０，１１がホルダーの下方３分の１のところで交わっていることを特徴とする請求項１０記載のホルダー。
【請求項１２】
前記受け口１９の側壁にはネジ３３を挿入部品２０の長手方向に延びる孔３０に挿入するための２つの孔３１，３２が、位置合わせされて配されており、前記ネジは、前記挿入部品２０の角度位置を固定するために前記挿入部材２７の長尺の孔及び前記支持カラム２７の幅方向に延びる孔２８，２９を介して挿入されることを特徴とする請求項２乃至１１いずれか１項記載のホルダー。
【請求項１３】
前記受け口１９の側壁の少なくとも一方にネジ３７が挿入される孔３２が設けられており、前記ネジ３７が前記挿入部品２１の幅方向に延びる孔２６に差し込まれる支持カラム２７を固定するために前記挿入部材のねじ山が設けられた孔３６にネジ止めされることを特徴とする請求項２乃至１１いずれか１項記載のホルダー。
【発明の詳細な説明】
本発明は、ホルダー、特に展示用パネル、パネルファイル及びポケット付きパネル等を綴じ込んで壁に保持するための壁掛け用ホルダーに関し、該ホルダーはその上下縁部にそれぞれ一列に配されたピンに、これらパネルの上下端部に設けられた孔からなる受け部を挿入することによって見開き可能に保持する。
上記のホルダーは、特にオフィス、研究室、作業場及びスーパーマーケット等でよく使われている。この種のホルダーは、本のようにパネルを綴じ込んで保持しているので取り扱いが簡単で従って使用者は、件名索引、リスト、価格表などの情報をページを捲るようにして容易に得る事ができる。これらのホルダーは、通常壁及び支持カラムに取り付けられるように構成されている。従ってこれら公知のホルダーは、壁に設けられたプラグに木ネジまたは支持カラムのネジ切りされた孔に目ネジをネジ止めすることによって取り付けられる。しかしながら、これら公知のホルダーでは、支持カラムと共に使用した場合、このカラムに対するホルダーの位置を変更することができない。
本発明の目的は、容易に交換可能な付属部品を用いて、支持カラムの長手方向軸に対する角度及び高さを調節することができ、且つ壁への取り付けをより簡単にしたホルダーを提供することである。この目的は、ホルダー本体に把持部を設け、この把持部にホルダーの長手方向軸に対して横方向に延びる軸を中心に回転可能であるローラー型付属部品を取り付け、この付属部品の幅方向に延びる孔内に支持カラムを差し込んで支持することによって達成される。
本発明によるホルダーは、ローラー型の付属挿入部品を用いることによって公知のホルダーより、取り付け場所及び用途においてより効果的な利点が得られる。さらにこのローラー型挿入部品を保持するための把持部をホルダー本体に設けることで、容易に前記挿入部品の取り付け及び交換を行うことができるだけでなく、さらに支持カラムと共に使用すれば、この支持カラムに対するホルダーの高さ及び角度を色々な状況に対応し得るように調整することができる。
本発明の詳細及びさらなる特徴を添付の図面に示した特に効果的な実施態様に基づいて以下に説明する。
図１は、本発明のホルダーの平面図である。
図２は、図１に示した本発明のホルダーの側面図である。
図３は、図１に示した本発明のホルダーの背面図である。
図４は、図１に示した本発明のホルダーを上方から見た図である。
図５は、図１のＶ−Ｖ線についてのホルダーの断面図である。
図６は、図１のＶＩ−ＶＩ線についてのホルダーの断面図である。
図７は、図１の上方部分の拡大図である。
図８は、挿入部品の受け口が形成された図１のホルダーの縦断面図である。
図９は、図８に示したホルダーの受け口に固定された第１挿入部品が取り付けられた状態を示す縦断面図である。
図１０は、図９に示した挿入部品によって支持カラム上でホルダーの角度が変化する状態を示した図である。
図１１は、図８に示したホルダーの受け口に固定された第２挿入部品が取り付けられた状態を示す縦断面図である。
図１２は、図９に示した挿入部品によって支持カラム上でホルダーの高さが変化する状態を示した図である。
図１において、符号１は公知のパネル（図示せず）を見開き可能に綴じ込み式に保持するホルダーの本体を示し、このホルダーの上下縁部には一列に配されたピン２が設けられており、該パネルには対向する上下縁部に前記ピンを支持するための支持部が設けられている。図示したホルダーには、上下それぞれ１０本のピンが設けられているので、例えばマイクロフィッシュ等を収納する例えばポケットが設けられた収納型パネルを１０枚保持できる。ホルダーを低コストで製するためにホルダーを射出成形によって形成し、ホルダーの背面壁３に窓４をピン２に対応する領域に設け、これら窓を介して射出成形用金型が挿入されるので割れが生じない。ホルダーに充分な強度を付与するために、ホルダーは１枚のウェブ板から形成された端部壁５，７及び側壁６，８と、中央トラフ９とが設けられた、中央が窪んだ構造を有している。トラフ９は背面壁３から延びる２つの壁部１０，１１からなり、これら壁部はホルダーの高さの下から３分の１のヶ所で鈍角を形成して奏合している。トラフ９にはホルダーの長手方向及び幅方向に延びる補強壁１２,１３が設けられているので、ホルダーに充分な強度を与えている。トラフ９の中央に配されたホルダーの長手方向軸に直交し且つ幅方向に延びる４つの補強壁１３各々には、支持カラムが挿入される開口部１４が整合位置に設けられている。窓部１５が、壁部１０に設けられているが、ホルダー胴体はプラスチック材からなるので安価にこれら窓部を設けることができる。また支持カラム用の案内チャネル１６が壁部１１に設けられている。図１，５及び７に示すように窓４の高さＨは、ピン２の長さｌより長く、窓４の幅Ｂはピン２の直径ｄより広い。一方、切り欠き部１５の幅Ｗは開口部１４の幅ｂと等しい。
ネジ等によってホルダーを壁に固定するために、壁部１０には細長の穴１７，１８が設けられ、これら穴の長手方向軸は、互いに直交しており、これによりある一定の範囲内でホルダーの壁に対する位置を調節することができる。
既に述べたようにホルダーを壁だけでなく、支持カラムにも取り付け可能であることが望まれている。このことを可能にするために図９及び１１に示すように本発明のホルダーには、トラフ９の最深部に交換可能な挿入部品２０，２１を保持するためにホルダーの表側に開口した受け口１９が設けられている。
さらに本発明のホルダーには、一対の把持部２２が設けられており、この把持部によってローラー形状の挿入部品２０，２１がホルダーの受け口１９で把持される。前記一対の把持部２２間の間隔は、各挿入部品２０,２１の外径に等しく、これにより前記挿入部品が受け口１９内でその長手方向軸２３を中心に回転することができる。図３，６及び８に示すようにトラフ９の壁部１１を延びる案内チャネル１６は、前記受け口１９内に開口しており、ホルダーの長手軸２４に対して垂直に配された補強壁１３に設けられた挿入開口部１４と整列している。この案内チャネルから受け口１９へと挿入開口部２５が設けられており、この開口部により図１０に示すように長手方向軸２３を中心にホルダーを最大で９０°回転させることが可能となる。
図９に示した挿入部品２０は、受け口１９の内側幅全体に亘って延びている、即ち挿入部品内方面が受け口１９の側壁の内面に対して摺動自在に支持されている。筒状に形成され且つ端部に横手方向に延びる孔２８，２９が設けられた支持カラム２７は、挿入部品２０の幅方向に延びた孔２６内に突出する。前記孔２８，２９は、挿入部品２０の長手方向に延びる孔３０に位置合わせされる。刻みが設けられた頭部３４を有するネジ３３が、挿入部品２０の長手方向に延びる孔３０及び受け口１９の側壁の穴３１，３２を介して挿入され、刻み目が設けられたナット３５がネジの頭部とは反対の端部にネジ止めされる。刻み目が設けられたナット３５を締め付けることによって受け口１９の側壁に対して挿入部品２０の端部面を強固に押圧することが可能になり、ホルダーを支持カラムに対して所望の傾斜角度に保持することができる。
支持カラム２７の長手方向軸に対するホルダー本体１の角度を変える必要が無く、単に支持カラムの長手軸の方向にホルダー本体の高さを調整したい場合、図１１に示すような挿入部品２１が使用される。この挿入部品２１は、ねじ山が設けられた孔３６を有し、この孔の中に刻み目が設けられた頭部を有するネジ３７がネジ止めされる。支持カラム２７の円周部に対してネジ３７の自由端を押圧することによって、支持カラムのその部分が挿入部品２１に対して係止される。図１２は、支持カラム状で高さＸ分だけ移動したホルダーの位置を示している。
【図１】
0004091661.tif 000002
【図２】
0004091661.tif 000003
【図３】
0004091661.tif 000004
【図４】
0004091661.tif 000005
【図５】
0004091661.tif 000006
【図６】
0004091661.tif 000007
【図７】
0004091661.tif 000008
【図８】
0004091661.tif 000009
【図９】
0004091661.tif 000010
【図１０】
0004091661.tif 000011
【図１１】
0004091661.tif 000012
【図１２】
0004091661.tif 000013